(57)【要約】【課題】多くのビデオカセットを不特定の者が簡単に管理できるようにする。【解決手段】ＶＴＲ３にビデオカセット４を装着し、再生したビデオ信号から、所定のタイミングで入力部１４が操作されたときの画像を取り込み、光磁気ディスク１６にインデックス静止画として記録させる。このとき、その静止画のビデオカセット４における絶対時刻等のアドレス情報も、光磁気ディスク１６に対応して記録させる。ＴＶ２に、光磁気ディスク１６に記録したインデックス静止画を再生し、表示させる。所定のインデックス静止画が選択されたとき、その静止画が記録されているビデオカセット４の位置をアクセスし、ＴＶ２に表示させる。【選択図】　　　図１
2004006003.tif 000002
【特許請求の範囲】
【請求項１】
使用中の記録媒体の管理符号を記憶し、
新たな前記記録媒体の使用が要求されたとき、未使用の前記管理符号のうちの所定のものを検索して、使用者に、その管理符号を前記記録媒体に付与させるとともに、その管理符号を、使用済みの管理符号として登録し、
前記管理符号が付与された前記記録媒体を使用するとき、使用者に、前記記録媒体に付与されている前記管理符号を入力させ、
その管理符号を使用中の前記記録媒体の管理符号として記憶する
ことを特徴とする記録媒体管理方法。
【請求項２】
使用中の記録媒体の管理符号を記憶する記憶手段と、
新たな前記記録媒体の使用が要求されたとき、未使用の前記管理符号のうちの所定のものを検索して、使用者に、その管理符号を前記記録媒体に付与させるとともに、その管理符号を、使用済みの管理符号として前記記憶手段に記憶させる検索手段と、
前記管理符号が付与された前記記録媒体を使用するとき、使用者に、前記記録媒体に付与されている前記管理符号を入力させ、その管理符号を使用中の前記記録媒体の管理符号として前記記憶手段に記憶させる入力手段と
を備えることを特徴とする記録媒体管理装置。
【発明の詳細な説明】
【０００１】
【発明の属する技術分野】
本発明は、例えばビデオテープレコーダのカセットテープを管理する場合に用いて好適な記録媒体管理方法および装置に関する。
【０００２】
【従来の技術】
一般の使用者が映像を記録するのに最も普及している装置は、現在のところ、ビデオテープレコーダである。このビデオテープレコーダを用いて、放送されている各種の番組をビデオカセットに収容されたビデオテープに記録することができる。また、ビデオカメラを用いることで、任意の被写体の画像を、やはりビデオテープに記録することができる。
【０００３】
このように、多くの画像をビデオテープ（以下、ビデオカセットと称する）に記録すると、その分だけビデオカセットの数も多くなる。従来、この多くのビデオカセットの中から所望のビデオカセットを選択し、所望の画像を再生することができるように、ビデオカセットにラベルを添付し、そのラベルに、画像の内容を短的に表すタイトルを書き込むようにしている。使用者は、このビデオカセットのラベルに書き込まれたタイトルから、そのビデオカセットに記録されている画像を推定し、多くのビデオカセットの中から、所定のものを選択するようにしている。
【０００４】
【発明が解決しようとする課題】
このように、従来、ビデオカセットを管理するのに、ビデオカセットの内容（タイトル）をビデオカセットに添付したラベルに書き込むようにしていた。従って、使用者が各タイトルとその内容の関係を記憶していなければならず、そのラベルにタイトルを書き込んだ者以外の者が、所望の画像を検索することが困難である課題があった。
【０００５】
また、ラベルにタイトルを書き込んだ本人自身であったとしても、ビデオカセットの数が多くなると、その中から、所望の画像が記録されているビデオカセットのタイトルを思い出すことが困難になり、所望の画像を迅速に検索することができなくなる課題があった。
【０００６】
本発明はこのような状況に鑑みてなされたものであり、不特定の者が、多くの記録媒体の中から所望の画像を迅速に検索することができるようにするものである。
【０００７】
【課題を解決するための手段】
請求項１に記載の記録媒体管理方法は、使用中の記録媒体（例えば図１のビデオカセット４）の管理符号を記憶し、新たな記録媒体の使用が要求されたとき、未使用の管理符号のうちの所定のものを検索して、使用者に、その管理符号を記録媒体に付与させるとともに、その管理符号を、使用済みの管理符号として登録し、管理符号が付与された記録媒体を使用するとき、使用者に、記録媒体に付与されている管理符号を入力させ、その管理符号を使用中の記録媒体の管理符号として記憶することを特徴とする。
【０００８】
請求項２に記載の記録媒体管理装置は、使用中の記録媒体（例えば図１のビデオカセット４）の管理符号（例えば番号）を記憶する記憶手段（例えば図１の光磁気ディスク１６）と、新たな記録媒体の使用が要求されたとき、未使用の管理符号のうちの所定のものを検索して、使用者に、その管理符号を記録媒体に付与させるとともに、その管理符号を、使用済みの管理符号として記憶手段に記憶させる検索手段（例えば図２のプログラム上のステップＳ１２，Ｓ５，Ｓ１４）と、管理符号が付与された記録媒体を使用するとき、使用者に、記録媒体に付与されている管理符号を入力させ、その管理符号を使用中の記録媒体の管理符号として記憶手段に記憶させる入力手段（例えば図１の入力部１４）とを備えることを特徴とする。
【０００９】
また、請求項１または２に記載の記録媒体管理方法または装置においては、新たな記録媒体の使用が要求されたとき、未使用の管理符号のうちの所定のものが検索され、使用者に、その管理符号を記録媒体に付与させるとともに、その管理符号を使用済みの管理符号として登録する。また、管理符号が付与された記録媒体を使用するとき、使用者により、記録媒体に付与されている管理符号を入力させ、使用中の記録媒体の管理符号として記憶させる。従って、多くの記録媒体を確実にかつ低コストで管理することが可能となる。
【００１０】
【発明の実施の形態】
図１は、本発明の記録媒体管理装置の一実施例の構成を示すブロック図である。管理装置１は、ビデオカセット４に対して画像信号を記録または再生するビデオテープレコーダ（ＶＴＲ）３と、テレビジョン受像機（ＴＶ）２との間に接続されている。
【００１１】
ＴＶ２が内蔵するチューナが出力したビデオ信号は、Ａ／Ｄ変換器およびＤ／Ａ変換器１１に入力され、Ａ／Ｄ変換された後、インタフェース１３およびバスを介してＶＲＡＭ１７に供給され、記憶される。また、ＶＲＡＭ１７から読み出された信号は、インタフェース１３を介して、Ａ／Ｄ変換器およびＤ／Ａ変換器１２に供給されるようになされている。そして、Ａ／Ｄ変換器およびＤ／Ａ変換器１２でＤ／Ａ変換され、ＶＴＲ３に供給されるようになされている。
【００１２】
また、逆に、ＶＴＲ３より出力されたビデオ信号が、Ａ／Ｄ変換器およびＤ／Ａ変換器１２でＡ／Ｄ変換された後、インタフェース１３およびバスを介してＶＲＡＭ１７に供給され、記憶される。また、ＶＲＡＭ１７から読み出された信号は、インタフェース１３を介して、Ａ／Ｄ変換器およびＤ／Ａ変換器１１に入力され、そこでＤ／Ａ変換されて、ＴＶ２に供給され、表示されるようになされている。
【００１３】
ＣＰＵ１８は、ＲＯＭ１９に記憶されているプログラムに従って各部を制御するようになされている。また、ＲＡＭ２０には、インタフェース１３を介して取り込まれた画像データの他、各種のデータが適宜記憶されるようになされている。ＤＳＰ２１は、ＲＡＭ２０に記憶された画像データをスケーリング処理するとき用いられる。
【００１４】
光磁気ディスク１６は、ドライブ１５により制御され、ＤＳＰ２１により処理されたビデオ画像、その他のデータが記憶されるようになされている。入力部１４は、キーボード、マウスなどにより構成され、ＣＰＵ１８に対して種々の指令を入力するとき操作される。
【００１５】
次に、その動作について説明する。この実施例においては、ビデオカセット４に記録されているビデオ画像をインデックスとして、光磁気ディスク１６に記録することができるようになされている。そして、ビデオカセット４に記録されている所定の画像にアクセスするとき、インデックスとして登録された画像をＴＶ２に表示し、表示された画像の中から所定のものを、入力部１４を操作して選択すると、その選択した画像がサーチされるようになされている。
【００１６】
図２と図３は、このような動作のうち、ビデオカセット４に記録されているビデオ画像の所定のものを、インデックス画像として光磁気ディスク１６に取り込む場合の処理を表している。
【００１７】
入力部１４より、インデックス取り込みの指令を入力すると、ＣＰＵ１８は、最初にステップＳ１において、変数ｔａｐｅ　ＩＤに−１を初期設定する。この変数ｔａｐｅ　ＩＤは、ＶＴＲ３に装着されているビデオカセット４を特定するための変数であり、その値が−１であるということは、ＶＴＲ３に装着されているビデオカセット４が、どの番号のビデオカセットであるのか不明であることを表している。初期状態においては、ビデオカセット４の番号（ＩＤ）がまだ不明であるため、ｔａｐｅ　ＩＤに−１が初期設定されるのである。
【００１８】
次にステップＳ２に進み、光磁気ディスク１６に、既にビデオカセット４の登録が行われているか否かが判定される。最初は、ビデオカセット４の登録がまだ行われていないため、このステップＳ２においては、ＮＯの判定が行われ、ステップＳ３に進む。ステップＳ３においては、その時点において管理対象とされているビデオカセット４の番号を表す変数ｘに１が初期設定される。
【００１９】
次にステップＳ４においては、ＶＴＲ３に対して、いま装着されているビデオカセット４をイジェクトするコマンドが、ＣＰＵ１８からインタフェース１３を介して出力される。ＶＴＲ３は、このコマンドの入力を受けたとき、ビデオカセット４が装着されていれば、それをイジェクトする。また、このステップＳ４においては、変数ｔａｐｅ　ＩＤに−１が設定される。
【００２０】
さらにステップＳ５に進み、ビデオカセットにｘ番のラベルを貼って、ＶＴＲ３に装着することを使用者に要求するメッセージが表示される。即ち、ＣＰＵ１８は、このメッセージを、インタフェース１３、Ａ／Ｄ変換器およびＤ／Ａ変換器１１を介して、ＴＶ２に出力し、表示させる。いまの場合、ｘ＝１である（ステップＳ３で設定されている）ため、例えば図４に示すように、「テープに１番のラベルをつけて入れて下さい」のメッセージがＴＶ２に表示される。
【００２１】
このようにメッセージが表示された状態において、使用者が、操作を間違えた等して、図４に示されたアイコンのうち、右側に表示されている「もどる」のアイコンを、入力部１４を構成するマウスでクリックした場合においては、キャンセル処理が行われ、ステップＳ５からステップＳ２に戻り、それ以降の処理を再び繰り返す。
【００２２】
一方、ステップＳ５において、使用者が表示されたメッセージに従い、所定のビデオカセット４に１番の番号のラベルを添付して、ＶＴＲ３に装着すると、ＶＴＲ３がこの装着を検知し、その検知信号を、インタフェース１３を介してＣＰＵ１８に出力する。このとき、ＣＰＵ１８は、ＶＴＲ３に１番のラベルを添付したビデオカセット４が装着されたものと判断し、ステップＳ６に進む。
【００２３】
ステップＳ６においては、光磁気ディスク１６に登録されたテープの数（登録されたテープ番号のうちの最大の番号に等しい）を表す変数ＲＴＮに、変数ｘの値を設定する。いまの場合、ｘ＝１であるため、ＲＴＮ＝１とされる。
【００２４】
次にステップＳ１３に進み、ｔａｐｅ　ＩＤに変数ｘの値が設定される。いまの場合、ｔａｐｅ　ＩＤ＝１とされる。さらにステップＳ１４に進み、静止画の取り込み処理が行われる。
【００２５】
即ち、このとき、ＣＰＵ１８はＶＴＲ３に指令を出力し、装着されている番号１のビデオカセット４の再生を指令する。この再生信号は、Ａ／Ｄ変換器およびＤ／Ａ変換器１２でＡ／Ｄ変換され、インタフェース１３を介してＶＲＡＭ１７に書き込まれる。そして、ＶＲＡＭ１７から読み出され、Ａ／Ｄ変換器およびＤ／Ａ変換器１１に供給され、そこでＤ／Ａ変換された後、ＴＶ２に出力され、表示される。使用者は、ＴＶ２の画像を見ながら、インデックスとして取り込んでおきたい画像が表示されたタイミングにおいて、入力部１４を操作し、静止画取り込みの指令を入力する。
【００２６】
ＣＰＵ１８は、この指令が入力されたとき、ＶＲＡＭ１７に記憶されている画像データをフリーズさせる。即ち、ＶＲＡＭ１７に記憶されている画像データの更新を禁止させる。このＶＲＡＭ１７に記憶されている画像が、ＴＶ２に出力され、表示されるため、ＴＶ２の表示画像も、使用者が入力部１４を操作したタイミングにおいて静止画になる。これにより、使用者は、所望の画像が取り込まれたか否かを確認することができる。
【００２７】
所望の画像が取り込まれたことが確認されたとき、使用者は入力部１４を操作して、さらに光磁気ディスク１６への書込みを指令する。この指令が入力されたとき、ＣＰＵ１８はＤＳＰ２１を制御し、ＶＲＡＭ１７に取り込まれた静止画の画面の大きさを所定の大きさに縮小させる。ＤＳＰ２１は、ＣＰＵ１８より、この縮小の指令の入力を受けたとき、ＶＲＡＭ１７に記憶されている１フレーム（または１フィールド）分の画像データをＲＡＭ２０に転送し、例えば水平方向の長さを１／３に、また、垂直方向の長さを１／２に、それぞれ縮小する処理を実行する。この縮小処理が完了したとき、ＣＰＵ１８は、ＲＡＭ２０に記憶された縮小画像データを、ドライブ１５を介して光磁気ディスク１６に供給し、書き込ませる。
【００２８】
また、ＶＴＲ３の再生画像をＴＶ２に出力、表示しているとき、ビデオカセット４に記録されている絶対時刻などのアドレス情報が、インタフェース１３を介してＣＰＵ１８に供給されている。ＣＰＵ１８は、ＶＲＡＭ１７に静止画を取り込んだとき（フリーズしたとき）、その静止画に対応する絶対時刻をＲＡＭ２０に記憶させる。
【００２９】
そしてＣＰＵ１８は、ＲＡＭ２０に記憶されている絶対時刻を読み出し、ドライブ１５を介して光磁気ディスク１６に供給し、ＶＲＡＭ１７より供給され、記憶された静止画に対応して記録させる。
【００３０】
次にステップＳ１５に進み、取り込んだ静止画のテープＩＤとして、ｔａｐｅＩＤに登録されている番号（いまの場合、ステップＳ１３において、ｔａｐｅＩＤ＝１とされている）が設定される。この静止画のテープＩＤも、光磁気ディスク１６に静止画および絶対時刻に対応して記録される。
【００３１】
さらにステップＳ１６に進み、いまＶＴＲ３に装着されているビデオカセット４からのインデックス画像の取り込み作業が終了したか否かが判定され、まだ終了していないとき、ステップＳ１３に戻り、それ以降の処理が繰り返し実行される。即ち、このような処理を繰り返すことにより、番号１のビデオカセット４からの再生画像のうち、所定の静止画像を任意の枚数だけインデックス画像として、光磁気ディスク１６に記録させることができる。
【００３２】
番号１番のビデオカセット４からのインデックス画像の取り込み作業が終了したとき、使用者は入力部１４を操作して、その旨の指令を入力する。このとき、ＣＰＵ１８は、ステップＳ１６からステップＳ１７に進み、インデックス画像の取り込み処理そのものを終了するか否かを判定する。使用者は、インデックス画像の取り込み処理を終了させるとき、入力部１４を操作して、その旨を指令する。
【００３３】
インデックス画像取り込み処理の終了が指令されないとき、ステップＳ２において、既に１本以上のビデオカセット４が光磁気ディスク１６に登録されていると判定された場合と同様に、ステップＳ７に進む。ステップＳ７においては、例えば図５に示すように、既に光磁気ディスク１６に登録されているテープの番号（この実施例の場合、番号１乃至４のビデオカセットが既に登録されている）が付されたアイコン、前の画面に戻る場合の「もどる」のアイコン、および新規のビデオカセットのインデックス画像を取り込む場合の指令を入力するための「新」の文字が表示されたアイコンが表示される。
【００３４】
ステップＳ７において、図５に示された「新」のアイコンが選択されると、ステップＳ１２に進み、変数ｘに、登録されたテープの数ＲＴＮ（図５の実施例の場合、ＲＴＮ＝４）に１が加算された値が設定される（いまの場合、ｘ＝５とされる）。
【００３５】
そしてステップＳ４に進み、いまＶＴＲ３に装着されているビデオカセット４をイジェクトするように、ＣＰＵ１８よりＶＴＲ３に指令が出力される。ＶＴＲ３は、この指令の入力を受けたとき、既に装着されているビデオカセット４をイジェクトする。そして、ＣＰＵ１８は、ＴＶ２に、テープにｘ番（いまの場合、５番）のラベルを貼って装着するように指示するメッセージを表示させる。即ち、例えば図６に示すように、「テープに５番のラベルをつけて入れて下さい」のようなメッセージが、ＴＶ２に表示される。
【００３６】
図６に示すメッセージが表示された状態において、使用者が「もどる」のアイコンを選択すれば、ステップＳ２に戻り、それ以降の処理が繰り返され、所定のビデオカセット４に５番のラベルを添付して、ＶＴＲ３に装着した後、図６に示す５番の符号が付されたアイコンを使用者が選択したとき、ステップＳ６に進み、登録されたテープの数ＲＴＮとして、変数ｘ（いまの場合、ｘ＝５）の値が設定される。
【００３７】
次にステップＳ１３以降の処理に進み、上述した場合と同様に、番号５番のビデオカセット４からの再生画像のうち、所定の画像のインデックス取り込み処理が行われる。
【００３８】
ステップＳ７において、図５に示されている番号１乃至４のアイコンのうち、所定の番号のアイコン（例えば、番号３のアイコン）が選択されたとき、ステップＳ７からステップＳ８に進み、変数ｘに、選択されたテープの番号（いまの場合、３）が設定される。そしてステップＳ９に進み、変数ｔａｐｅ　ＩＤの値が変数ｘの値と等しいか否かが判定され、等しくない場合、即ち、ＶＴＲ３にいま装着されているビデオカセット４の番号（ｔａｐｅ　ＩＤ）と、ステップＳ７で選択されたビデオカセット４の番号（ｘ）とが等しくない場合、ステップＳ１０に進み、いまＶＴＲ３に装着されているビデオカセット４をイジェクトするように、ＶＴＲ３に指令が出力され、変数ｔａｐｅ　ＩＤに−１が設定される。
【００３９】
次にステップＳ１１に進み、ステップＳ７で選択された番号ｘ（いまの場合、ｘ＝３）の番号のテープを入れよの指示が出力される。即ち、ＣＰＵ１８は、ＴＶ２に対して、例えば図７に示すような「３番のテープを入れて下さい」のメッセージを出力し、表示させる。使用者は、操作を間違えた等して元の表示画面に戻りたい場合においては、図７に示されたアイコンのうち、「もどる」のアイコンを選択する。このとき、ステップＳ１１からステップＳ７に戻り、それ以降の処理が繰り返し実行される。
【００４０】
これに対して、使用者は、このメッセージに従う処理を実行する場合、ＶＴＲ３に番号３のビデオカセット４を装着し、図７に示された番号３のアイコンを選択する。この番号３のアイコンが選択されたとき、ステップＳ１３に進み、上述した場合と同様の処理が実行され、番号３のビデオカセット４の所定の画像がインデックス画像として取り込まれることになる。
【００４１】
以上のようにして、光磁気ディスク１６に、管理したいビデオカセット４の番号、インデックス静止画、およびその絶対時刻が対応して記録されることになる。従って、使用者は、ＴＶ２に表示されるメッセージに従って所定の操作を行うだけで済み、テープ番号と、その番号に記録されている画像を記憶しておく必要がない。
【００４２】
このようにして、光磁気ディスク１６に記録された静止画の中から所定の画像を選択し、表示させたい場合においては、図８のフローチャートに示す処理が行われる。この処理は、入力部１４を操作して、サーチの指令を入力したとき開始される。
【００４３】
最初にステップＳ３１において、変数ｔａｐｅ　ＩＤに−１が初期設定される。次にステップＳ３２に進み、図２と図３のフローチャートを参照して説明した、インデックス静止画取り込み処理により取り込まれたインデックス静止画ＧＵＩが表示される。即ち、ＣＰＵ１８は、入力部１４よりサーチの指令が入力されたとき、ドライブ１５を制御し、光磁気ディスク１６に記録されているインデックス静止画を再生させる。この静止画は、ＶＲＡＭ１７に記憶され、そこから読み出され、インタフェース１３、Ａ／Ｄ変換器およびＤ／Ａ変換器１１を介して、ＴＶ２に出力され、表示される。
【００４４】
このようにして、例えば図９に示すように、予めインデックス取り込み処理により取り込んだ、縮小した静止画がアイコン（ＧＵＩ）として表示される。このＧＵＩ表示は、入力部１４を操作することで、順次切り換えられる。
【００４５】
即ち、ＣＰＵ１８は、入力部１４より、ＧＵＩの更新が指令される毎に、順次登録されているビデオカセット４の静止画を表示する。使用者は、このインデックス静止画を見て、自分が検索したい静止画を見つける操作を最初に行うことになる。
【００４６】
上述したように、インデックス静止画は、その画面の大きさを縮小して記録しているため、画面上に複数のインデックス静止画を表示することができる。この実施例の場合、６枚の静止画が１枚の画面上に同時に表示されている。
【００４７】
インデックス静止画が７枚以上登録されている場合は、６枚単位で順次表示される。
【００４８】
尚、この実施例においては、縮小した後の静止画をインデックス静止画として光磁気ディスク１６に記録するようにしたが、光磁気ディスク１６には縮小せずに、元の大きさのままの状態で記録しておき、ＴＶ２に表示するとき、ＤＳＰ２１で大きさを圧縮し、表示するようにすることも可能である。
【００４９】
次にステップＳ３３に進み、静止画の選択が行われたか否かが判定される。使用者が、表示されている６枚のインデックス静止画のうち、所定のインデックス静止画をマウスなどでクリックすると、ステップＳ３４に進み、その選択された静止画のｔａｐｅ　ＩＤ（カセット番号）（光磁気ディスク１６から再生されたもの）が変数ｘに設定される。
【００５０】
次にステップＳ３５に進み、変数ｔａｐｅ　ＩＤと変数ｘの値が等しくないか否かが判定される。いまの場合、変数ｔａｐｅ　ＩＤ＝−１（ステップＳ３１で設定されている）であり、変数ｘ＝２（ステップＳ３４で設定されている）であるから、両者は等しくないことになる。そこで、この場合、ステップＳ３６に進み、ＶＴＲ３に対してイジェクトの指令が出力されるとともに、変数ｔａｐｅ　ＩＤに−１が設定される。そしてステップＳ３７に進み、ｘ番のテープを入れよの指示の処理が実行される。即ち、いまの場合、「２番のテープを入れて下さい」のメッセージがＴＶ２に表示される。
【００５１】
このメッセージが表示された状態において、使用者が「もどる」のアイコンをクリックしたとき、ステップＳ３２に戻り、それ以降の処理が繰り返し実行される。
【００５２】
これに対して、使用者はメッセージに従う場合、ＶＴＲ３に番号２のビデオカセット４を装着する。そして、画面に表示されている番号２のアイコンを選択する。このとき、ステップＳ３８に進み、変数ｔａｐｅ　ＩＤに変数ｘの値が設定される。即ち、ｔａｐｅ　ＩＤ＝２とされる。
【００５３】
次にステップＳ３９に進み、ステップＳ３３で選択された静止画の光磁気ディスク１６上の記録位置が、静止画に対応して記憶されている絶対時刻から確認される。即ち、ＣＰＵ１８は、光磁気ディスク１６からインデックス静止画を読み出し、ＴＶ２に出力、表示するとき、それに対応するテープ番号や絶対時刻の情報を同時に読み出し、ＲＡＭ２０に記憶させる。そして、このＲＡＭ２０に記憶されたデータから、選択された静止画の記録位置を読み取る。
【００５４】
そしてステップＳ４０に進み、その読み取られた記録位置をサーチする処理を実行する。即ち、ＣＰＵ１８は、静止画の記録位置に対応する絶対時刻の位置をサーチするように、ＶＴＲ３を制御する。ＶＴＲ３は、この制御信号の入力を受けたとき、その絶対時刻が得られる位置をサーチする。そして、その絶対時刻で表される位置がサーチされたとき、その位置に記録されているビデオ信号を再生する。このビデオ信号がＴＶ２に出力、表示されるため、使用者は、自分がステップＳ３３で指定した静止画がサーチされたことを確認することができる。
【００５５】
次にステップＳ４１に進み、使用者は、サーチ処理を終了させるか否かを指令する。使用者がサーチ処理を終了させる旨を入力したとき、この処理は終了され、まだ終了させない旨の入力がなされた場合、ステップＳ３２に戻り、それ以降の処理が繰り返し実行される。
【００５６】
一方、ステップＳ３５において、ｔａｐｅ　ＩＤが変数ｘと等しいと判定された場合、いまＶＴＲ３に装着されているのが、ステップＳ３３で選択した静止画が記録されているビデオカセット４であることになるから、この場合においては、ビデオカセット４を交換する必要がない。このため、ステップＳ３６乃至Ｓ３８の処理はスキップされ、ステップＳ３９以降の処理が実行される。
【００５７】
また、ステップＳ３３において、例えば図９に示す「もどる」のアイコンが選択されたとき、ステップＳ３４乃至Ｓ４０の処理はスキップされ、ステップＳ４１の処理が実行される。
【００５８】
以上の実施例においては、使用者がＴＶ２に表示された番号のビデオカセットを装着することで、ビデオカセット４を管理するようにしたので、最も低コストの装置を実現することができる。
【００５９】
これに対して、例えば図１０に示すように、ビデオカセット４が各ビデオカセットのＩＤを記憶したＥＥＰＲＯＭ４１を内蔵するような場合、ＶＴＲ３に、その読取部３１を設けることで、装着されたビデオカセット４のＩＤを実際に確認させることができる。
【００６０】
このように、ＶＴＲ３が、ビデオカセット４のＩＤを確認する構成を有している場合、インデックス取り込み処理は、図１１乃至図１３のフローチャートに示すように行うことができる。そのステップＳ５１乃至Ｓ７２の処理は、図２および図３におけるステップＳ１乃至Ｓ１７における処理と基本的に同様の処理であるが、図１１乃至図１３のフローチャートにおいては、ステップＳ５８とステップＳ６２（図２および図３におけるステップＳ１１とステップＳ１３）の間に、ステップＳ５９乃至Ｓ６１の処理が挿入されており、また、ステップＳ７０とステップＳ６２（図２および図３におけるステップＳ６とステップＳ１３）の間に、ステップＳ７１とステップＳ７２の処理が挿入されている点が、図２と図３に示したフローチャートと異なっている。
【００６１】
即ち、新たなビデオカセット４のインデックス静止画を登録すべく、ステップＳ６９の処理に進み、ステップＳ６９において、例えば図６に示すような表示がＴＶ２に対して行われているとき、その指示に従い、ビデオカセット４に番号５のラベルを添付してＶＴＲ３に装着するとともに、番号５のアイコンを選択すると、ステップＳ７０に進み、登録されたテープの数ＲＴＮに変数ｘの値が設定される。いまの場合、ＲＴＮ＝５とされる。
【００６２】
そしてステップＳ７１に進み、装着したビデオカセット４のマーク（識別子）（ＥＥＰＲＯＭ４１に記憶されているＩＤ）を認識できるか否かが判定される。ビデオカセット４がＥＥＰＲＯＭ４１を内蔵しているとき、この読み取り処理が行われるため、ステップＳ７２に進む。ステップＳ７２においては、いまＶＴＲ３に装着されているビデオカセット４のＥＥＰＲＯＭ４１に記憶されているＩＤ（マーク）が、読取部３１において読み取られ、その値がマーク［ｘ］に設定される。そして、このマーク［ｘ］は、ステップＳ６３における静止画の取り込み処理において、光磁気ディスク１６上に記録される。
【００６３】
このとき、図１４のテーブルに示すように、マーク［ｘ］は、ビデオカセット４に添付されたラベルの番号ｘに対応して記録される。従って、ＥＥＰＲＯＭ４１に記憶させるＩＤは、この番号ｘとは無関係のものとすることができる。
【００６４】
例えば、ビデオカセット４がＥＥＰＲＯＭ４１を内蔵していないような場合、マークを読み取ることができないため、ステップＳ７２の処理はスキップされる。
【００６５】
一方、インデックス静止画の取り込み処理を行うべく、ステップＳ５８の処理に進み、例えば図７に示すように、「３番のテープを入れて下さい」のメッセージがＴＶ２に表示されている状態において、このメッセージに従い、番号３のビデオカセット４をＶＴＲ３に装着し、かつ、番号３のアイコンをクリックすると、ステップＳ５９に進み、ＶＴＲ３に装着したビデオカセット４のマークを認識できるか否かが判定される。
【００６６】
このマークを認識する場合、ステップＳ６０に進み、装着したビデオカセット４（いまの場合、番号３のビデオカセット４）のＥＥＰＲＯＭ４１のマーク（ＩＤ）が読み取られ、そのマークが、ステップＳ５８で指定された番号（いまの場合、番号３）のビデオカセット４のマーク［ｘ］の値と等しいか否かが判定される。図１４に示すように、番号３のビデオカセットのマーク［ｘ］は、６９とされているので、いまＶＴＲ３に装着されているビデオカセット４のＥＥＰＲＯＭ４１に記憶されているマーク（ＩＤ）が６９であるか否かが判定される。
【００６７】
このマークが６９でなければ、いま装着されているビデオカセット４が番号３のビデオカセットではないことになるため、この場合、ステップＳ６１に進み、誤ったテープが挿入された旨の表示が、ＴＶ２に対して行われる。即ち、ＣＰＵ１８は、ＴＶ２に対して、例えば「テープが間違っています」のようなメッセージを表示させる。
【００６８】
そして、ステップＳ５７に戻り、いま装着されているビデオカセット４をイジェクトさせるとともに、変数ｔａｐｅ　ＩＤに−１を設定した後、ステップＳ５８に進み、再び図７に示すようなメッセージをＴＶ２に表示させる。
【００６９】
ステップＳ６０において、ＶＴＲ３に装着されているビデオカセット４のマークと、ステップＳ５８で指定された番号のビデオカセットのマークとが一致したと判定された場合、ステップＳ６２に進み、変数ｔａｐｅ　ＩＤに変数ｘの値を設定した後、さらにステップＳ６３に進み、静止画の取り込み処理を実行する。
【００７０】
ステップＳ５９において、ビデオカセット４のマークを認識できないと判定された場合においては、ステップＳ６０の処理はスキップされ、ステップＳ６２に進み、それ以降の処理が実行される。
【００７１】
また、図１０に示すように、ビデオカセット４がＥＥＰＲＯＭ４１を内蔵しているとき、所定のインデックス静止画をサーチする処理は、例えば図１５と図１６のフローチャートに示すように行われる。この図１５と図１６のステップＳ９１乃至Ｓ１０４の処理は、基本的に図８におけるステップＳ３１乃至Ｓ４１における処理と同様の処理であるが、ステップＳ９７とステップＳ１０１（図８におけるステップＳ３７とステップＳ３８）の間に、ステップＳ９８乃至Ｓ１００の処理が挿入されている点が、図８のフローチャートと異なっている。
【００７２】
即ち、ステップＳ９７において、例えば図７に示すように、「３番のテープを入れて下さい」のメッセージがＴＶ２に表示されている状態において、その指示に従い、番号３のラベルのビデオカセット４をＶＴＲ３に装着するとともに、番号３のアイコンをクリックすると、ステップＳ９７からステップＳ９８に進み、ＶＴＲ３に装着したビデオカセット４のマークを認識できるのか否かが判定される。ビデオカセット４がＥＥＰＲＯＭ４１を内蔵するとき、このマークの認識が行われるため、ステップＳ９９に進む。
【００７３】
ステップＳ９９においては、読取部３１がビデオカセット４のＥＥＰＲＯＭ４１に記憶されているマークを読み取る。そして、このマークが、ステップＳ９７で指定された番号のビデオカセット４のマークと一致するか否かが判定される。両者が一致しないとき、ステップＳ１００に進み、誤ったテープが挿入されている旨の表示がＴＶ２において行われる。そしてステップＳ９６に戻り、ＶＴＲ３に装着されているビデオカセット４がイジェクトされ、変数ｔａｐｅ　ＩＤに−１が設定された後、ステップＳ９７に進み、図７に示すようなメッセージが再びＴＶ２に表示される。
【００７４】
ステップＳ９９において、ＶＴＲ３に装着したビデオカセット４のマークが、ステップＳ９７において指定した番号のビデオカセットのマークと一致すると判定された場合、ステップＳ１０１に進み、変数ｔａｐｅ　ＩＤに変数ｘの値が設定された後、ステップＳ１０２において、静止画に付随する記録位置情報が読み取られ、その記録位置情報に対応して、ステップＳ１０３において、サーチ動作が実行される。
【００７５】
ステップＳ９８において、装着したビデオカセット４のマークを認識できないと判定された場合、ステップＳ９９の処理はスキップされ、ステップＳ１０１以降の処理が実行される。
【００７６】
尚、以上の実施例においては、ビデオカセット４に、ＥＥＰＲＯＭ４１を設け、そこにＩＤを記憶させるようにしたが、この他、例えばバーコードによりビデオカセット４のＩＤを表示させるようにし、読取部３１をこれを読み取るように構成することも可能である。
【００７７】
また、以上においては、使用者がＴＶ２に表示されたメッセージに従ってビデオカセット４の交換を行うようにしたが、例えばＶＴＲ３が、図１７に示すように、チェンジャ３２を内蔵しており、ビデオカセット４をチェンジャ３２が自動的に交換することができる場合においては、上述した処理における、使用者が行うテープ交換の動作を、チェンジャ３２に実行させるようにすることができる。
【００７８】
以上においては、記録媒体としてビデオカセット４を用いたが、本発明はこの他、オーディオカセット、コンパクトディスク、レーザディスク、ミニディスク、その他の記録媒体を管理する場合にも適用が可能である。
【００７９】
【発明の効果】
また、請求項１または２に記載の記録媒体管理方法または装置によれば、新たな記録媒体の使用が要求されたとき、未使用の管理符号のうちの所定のものが検索され、使用者に、その管理符号を記録媒体に付与させるとともに、その管理符号が使用済みの管理符号として登録される。また、管理符号が付与された記録媒体を使用するとき、使用者により、記録媒体に付与されている管理符号を入力させ、使用中の記録媒体の管理符号として記憶させる。従って、多くの記録媒体を確実にかつ低コストで管理することが可能となる。
【図面の簡単な説明】
【図１】本発明の記録媒体管理装置の一実施例の構成を示すブロック図である。
【図２】図１の実施例のインデックス取り込み処理の動作を説明するフローチャートである。
【図３】図２に続くフローチャートである。
【図４】図１の実施例における最初のテープ登録時のＴＶ２の表示例を説明する図である。
【図５】図１の実施例におけるテープ選択時のＴＶ２の表示例を説明する図である。
【図６】図１の実施例におけるテープの新規登録時のＴＶ２の表示例を説明する図である。
【図７】図１の実施例におけるテープ要求時のＴＶ２の表示例を説明する図である。
【図８】図１の実施例のサーチ動作の処理を説明するフローチャートである。
【図９】図８のステップＳ３２における表示例を説明する図である。
【図１０】図１の実施例におけるＶＴＲ３の他の構成例を示すブロック図である。
【図１１】図１０の実施例におけるインデックス取り込み処理の動作を説明するフローチャートである。
【図１２】図１１に続くフローチャートである。
【図１３】図１１に続くフローチャートである。
【図１４】図１０の実施例におけるビデオカセットの番号とＥＥＰＲＯＭに記憶されているマークとの関係を説明する図である。
【図１５】図１０の実施例におけるサーチ動作の処理を説明するフローチャートである。
【図１６】図１５に続くフローチャートである。
【図１７】図１の実施例におけるＶＴＲ３の他の構成例を示すブロック図である。
【符号の説明】
１　管理装置　２　テレビジョン受像機　３　ＶＴＲ　４　ビデオカセット　１１，１２　Ａ／Ｄ変換器およびＤ／Ａ変換器　１３　インタフェース　１４　入力部　１５　ドライブ　１６　光磁気ディスク　１７　ＶＲＡＭ　１８　ＣＰＵ　１９　ＲＯＭ　２０　ＲＡＭ　２１　ＤＳＰ　３１　読取部　３２　チェンジャ　４１　ＥＥＰＲＯＭ
【図１】
2004006003.tif 000003
【図２】
2004006003.tif 000004
【図３】
2004006003.tif 000005
【図４】
2004006003.tif 000006
【図５】
2004006003.tif 000007
【図６】
2004006003.tif 000008
【図７】
2004006003.tif 000009
【図８】
2004006003.tif 000010
【図９】
2004006003.tif 000011
【図１０】
2004006003.tif 000012
【図１１】
2004006003.tif 000013
【図１２】
2004006003.tif 000014
【図１３】
2004006003.tif 000015
【図１４】
2004006003.tif 000016
【図１５】
2004006003.tif 000017
【図１６】
2004006003.tif 000018
【図１７】
2004006003.tif 000019